(57)【要約】【課題】従来の手術室の薬剤管理カートの課題は、薬剤ごとに保管履歴、又は準備利用履歴を管理しようとすると多大な労力を必要とすることであった。【解決手段】ＲＦＩＤタグを有する薬剤を収納する収納部２０、２１と、手術情報を記録する手術情報記録部４７と、収納部２０、２１に収納される薬剤のＲＦＩＤタグに手術情報を記録する書込み部４３、４４と、手術作業者の操作指令を取得する操作指令取得部２９と、を備え、操作指令取得部２９が手術開始指令を受けると、書込み部４３、４４は手術情報記録部４７に記録された手術開始情報を収納部２０、２１に収納される薬剤のＲＦＩＤタグに記録し、操作指令取得部２９が手術終了指令を受けると、書込み部４３、４４は、手術情報記録部４７に記録された手術終了情報を収納部２０、２１に収納される薬剤のＲＦＩＤタグに記録する薬剤管理装置１４であり、薬剤のＲＦＩＤタグへ手術情報を書き込むことができる。【選択図】図８
2011062331.tif 000002
【特許請求の範囲】
【請求項１】
手術室に持込まれる薬剤の管理方法であって、
前記手術室から持出されるまでに、薬剤管理装置の収納部に収納された複数の薬剤のＲＦＩＤタグそれぞれに、手術計画と手術内容と手術開始時間と手術終了時間と手術場所とを含む手術情報を記録する、
薬剤管理方法。
【請求項２】
前記手術室での手術の開始時に、前記ＲＦＩＤタグそれぞれに、手術計画と手術開始時間と手術場所とを含む手術開始情報を記録し、
前記手術室での手術の終了時に、前記ＲＦＩＤタグそれぞれに、手術内容と手術終了時間とを含む手術終了情報を記録する、
請求項１記載の薬剤管理方法。
【請求項３】
前記手術室での手術中に、所要時間毎に前記収納部で検出される薬剤情報より、前記収納部から取り出された後に返却された返却薬剤を特定して返却情報を生成し、前記返却情報を前記返却薬剤のＲＦＩＤタグに記録する、
請求項１または２記載の薬剤管理方法。
【請求項４】
所要時間毎に前記収納部で検出される薬剤情報より、薬剤が前記収納部から取り出された後に返却されるまでの時間である準備利用時間を算出し、前記準備利用時間を前記返却薬剤のＲＦＩＤタグに記録する、
請求項３記載の薬剤管理方法。
【請求項５】
前記準備利用時間における前記手術室の手術室温度を取得し、前記手術室温度を前記返却薬剤のＲＦＩＤタグに記録する、
請求項４記載の薬剤管理方法。
【請求項６】
前記手術室での手術の開始時から終了時まで、前記収納部に保管されていた薬剤のＲＦＩＤタグへ未利用情報を記録する、
請求項１〜５いずれか記載の薬剤管理方法。
【請求項７】
前記収納部から薬剤が取り出された時、および、前記収納部へ薬剤が返却された時の少なくとも一方で、前記手術室の画像を撮像して記録する、
請求項１〜６いずれか記載の薬剤管理方法。
【請求項８】
前記収納部から薬剤が取り出された時、および、前記収納部へ薬剤が返却された時の少なくとも一方で、手術作業者の個人情報をＩＣリーダを用いて取得し、前記個人情報を記録する、
請求項１〜７いずれかに記載の薬剤管理方法。
【請求項９】
ＲＦＩＤタグを有する薬剤を収納する収納部と、
手術計画と手術内容と手術開始時間と手術終了時間と手術場所とを含む手術情報を記録する手術情報記録部と、
前記収納部に収納された薬剤のＲＦＩＤタグに前記手術情報記録部の手術情報を記録する書込み部と、
手術作業者の操作指令を取得する操作指令取得部と、を備え、
前記操作指令取得部が手術開始指令を受けると、前記書込み部は前記手術情報記録部に記録された手術開始情報を前記収納部に収納される薬剤のＲＦＩＤタグに記録し、
前記操作指令取得部が手術終了指令を受けると、前記書込み部は、前記手術情報記録部に記録された手術終了情報を前記収納部に収納される薬剤のＲＦＩＤタグに記録する、
薬剤管理装置。
【請求項１０】
前記収納部に収納された薬剤のＲＦＩＤタグより薬剤情報を検出する検出部と、
前記検出部により検出された薬剤情報に基づいて薬剤情報管理を行う薬剤管理部と、を備え、
前記薬剤管理部は、所要時間毎に前記検出部で検出される薬剤情報より、前記収納部から取り出された後、返却された薬剤を特定して返却情報を生成し、
前記書込み部は返却される薬剤のＲＦＩＤタグに前記薬剤管理部で生成された返却情報を記録する、
請求項９記載の薬剤管理装置。
【請求項１１】
手術作業者へのメッセージを表示する表示部を備え、
前記薬剤管理部は、所要時間毎に前記検出部で検出される薬剤情報より、前記収納部から取り出された薬剤を特定し、この薬剤が収納部から取り出されたことを前記表示部へ薬剤名と共に表示するように指示を出し、前記検出部で検出される薬剤情報より、前記収納部から取り出された後、返却される薬剤を特定し、この薬剤が返却されたことを前記表示部へ薬剤名と共に表示するように指示を出す、
請求項１０記載の薬剤管理装置。
【請求項１２】
手術作業者へのメッセージを表示する表示部を備え、
前記薬剤管理部は、薬剤が前記収納部から取り出された後、返却されるまでの準備利用時間が未利用時間以下の薬剤は、前記表示部へ返却された薬剤の薬剤名とともに未利用の薬剤として取り扱われることのメッセージを前記表示部へ表示するように指示を出す、
請求項１１記載の薬剤管理装置。
【発明の詳細な説明】
【技術分野】
【０００１】
本発明は、病院の手術室で行う手術時の薬剤を管理する薬剤管理方法および薬剤管理装置に関するものである。
【背景技術】
【０００２】
病院では、様々な病気やけがを持つ患者に対し、医師が診断を行い、治療のために調剤情報を作成している。そして、調剤局や調剤室等で、その調剤情報に従い薬剤を取り揃えて患者へ提供をしている。
【０００３】
同様に、手術室で利用する手術用の薬剤は、医師の診断に基づいて、手術前に薬剤管理カートに準備される。しかし、ここで準備された薬剤が、手術の計画で必要最低限とする薬剤のみであると、手術中に医師の診断が変わった場合や、慌ただしい手術の最中に薬剤が破損したりする場合に、薬剤が不足することになる。そのため、手術用の薬剤の準備は、予め多めに取り揃えておく必要がある。
【０００４】
また、頻繁に行われる手術については、特定の手術用の薬剤カートを準備して一定の薬剤を保持するようにして、手術前に薬剤が不足していれば補充するようにしている。同様に、多くの手術に共通して必要な薬剤を集めた薬剤管理カートを手術室に常駐させておく場合もある。
【０００５】
このような手術室に常駐する薬剤管理カートで保管される薬剤には、手術中に取り出された場合でも、手術状況を見て薬剤の投与が不要と判断されると、使用されずに薬剤管理カートへ返却される薬剤（以下、準備利用された薬剤、と称す）もある。
【０００６】
準備利用された薬剤は、使用はされていないが、手術現場の近くに置かれたり、手術中の医師や看護師に触れたりするため、血液や他の薬品によって薬剤の容器が汚染される可能性がある。
【０００７】
準備利用された薬剤は、実際には使用されていないため、再利用することは可能である。しかし、病院によっては、内部基準を設け、薬剤が準備利用された時の手術内容や、薬剤の準備利用の回数によっては、薬剤の容器が手術に適さないほど汚染されたとして、再利用しないようにしている。
【０００８】
ここで、例えば、薬剤管理カートの手術履歴（その薬剤管理カートが持込まれた手術の履歴）を知ることができれば、大まかな薬剤ごとの準備利用履歴の管理も可能だと考えられる。
【０００９】
しかし、手術室に常駐する薬剤管理カートは、手術一回ごとに薬剤が準備される方式ではなく、薬剤が不足すると補充される方式である。そのため、薬剤管理カートの手術履歴と、そこに保管される薬剤の保管履歴（その薬剤が持込まれた手術の履歴）とは、必ずしも一致しない。つまり、薬剤管理カートの手術履歴と、薬剤ごとの保管履歴とが同一であるとは限らない。よって、安全性の高い内部基準を採用すると、まだ利用することが可能な薬剤も廃棄しなければならない。薬剤によっては非常に高価なものもあり、このように廃棄することが大きな無駄となる場合もある。
【００１０】
また、各薬剤に、手術開始と手術終了後に、手術内容を手作業で書込むことも考えられるが、薬剤それぞれに対して行う必要があり、多大な労力を必要とする。
【００１１】
手術室用の薬剤管理カートではないが、図１２のごとくバーコードリーダを利用して、作業者の負担を減らして薬剤管理を行う薬剤類収納装置１がある。
【００１２】
図１２に示すように、薬剤類収納装置１は、複数の収納容器と、複数の開駆動手段と、複数の表示器６、７と、制御装置とを備える。ここで、複数の収納容器は、扉２や引出３等の開閉部材を有し、これで開閉される開口４、５を介して外部から人手で薬剤を出し入れしうるものである。また、複数の開駆動手段は、収納容器ごとの開閉部材に開動作を行わせるものである。また、複数の表示器６、７は、各収納容器に付設され、数字を表示するものである。また、制御装置は、指示箋をバーコードリーダ８で読んで得た薬剤払出情報に基づいて、収納容器の何れかを選択して開駆動手段を作動させると共に、表示器６、７に取出数を表示させるものである。この薬剤類収納装置１を用いることで、分別保管薬剤の選択に加えて薬剤類の在処が一目瞭然となると同時に、その薬剤を取り出せる状態になり、更に目前で案内表示もなされる。
【先行技術文献】
【特許文献】
【００１３】
【特許文献１】特開２００４−１８７９５８号公報
【発明の概要】
【発明が解決しようとする課題】
【００１４】
従来の手術室の薬剤管理カートの課題は、薬剤ごとに保管履歴又は準備利用履歴を管理しようとすると、多大な労力を必要とすることである。
【００１５】
例えば、手作業で手術ごとに薬剤へ手術内容等を書込むことをすれば、薬剤ごとの保管履歴や準備履歴の管理は可能であるが、多大な労力を必要とする。
【００１６】
また、特許文献１の薬剤収納装置１のように、バーコードリーダ８を利用することで保管履歴や準備利用履歴を管理しようとすると、バーコードに情報を追記することができない。そのため、バーコードに識別番号を付与して、その識別番号を基にデータベースで管理する必要がある。薬剤容器のバーコードに記録される情報は薬剤名等の共通情報なので、同種類の薬剤を識別しようとすると、識別番号を付与したシール等を張り、データベースを作成する必要がある。さらに、薬剤容器のバーコードを一つずつ読み取る必要があるために、これも多大な労力を必要とする。
【００１７】
本発明は、これら課題を解決し、多大な労力が不要で、簡易に薬剤の履歴を個別管理できる薬剤管理方法および薬剤管理装置を提供することを目的とする。
【課題を解決するための手段】
【００１８】
そしてこの目的を達成するために本発明の薬剤管理方法は、手術室に持込まれる薬剤の管理方法であって、前記手術室から持出されるまでに、薬剤管理装置の収納部に収納された複数の薬剤のＲＦＩＤタグそれぞれに、手術計画と手術内容と手術開始時間と手術終了時間と手術場所とを含む手術情報を記録することを特徴とする。
【００１９】
また、この目的を達成するために本発明の薬剤管理装置は、ＲＦＩＤタグを有する薬剤を収納する収納部と、手術計画と手術内容と手術開始時間と手術終了時間と手術場所とを含む手術情報を記録する手術情報記録部と、前記収納部に収納された薬剤のＲＦＩＤタグに前記手術情報記録部の手術情報を記録する書込み部と、手術作業者の操作指令を取得する操作指令取得部と、を備え、前記操作指令取得部が手術開始指令を受けると、前記書込み部は前記手術情報記録部に記録された手術開始情報を前記収納部に収納される薬剤のＲＦＩＤタグに記録し、前記操作指令取得部が手術終了指令を受けると、前記書込み部は、前記手術情報記録部に記録された手術終了情報を前記収納部に収納される薬剤のＲＦＩＤタグに記録することを特徴とする。
【発明の効果】
【００２０】
本発明によれば、多大な労力が不要で、薬剤ごとの履歴の個別管理を簡易にできる薬剤管理方法および薬剤管理装置を提供することができる。
【図面の簡単な説明】
【００２１】
【図１】本発明の実施の形態１における手術室の正面図
【図２】本発明の実施の形態１における薬剤管理装置の斜視図
【図３】本発明の実施の形態１における収納部を引き出した薬剤管理装置の斜視図
【図４】本発明の実施の形態１における名札の正面図
【図５】本発明の実施の形態１における収納部の斜視図
【図６】本発明の実施の形態１における薬剤の斜視図
【図７】本発明の実施の形態１における薬剤のＲＦＩＤタグの下面図
【図８】本発明の実施の形態１における薬剤管理装置の機能ブロック図
【図９】本発明の実施の形態１における手術前の管理部のフローチャート
【図１０】本発明の実施の形態１における手術後の管理部のフローチャート
【図１１】本発明の実施の形態２における手術中の管理部が行う返却薬剤検出のフローチャート
【図１２】従来の薬剤類収納装置の斜視図
【発明を実施するための形態】
【００２２】
以下、本発明を実施するための形態について、図面を参照しながら説明する。なお、以下の説明において、同じ構成には同じ符号を付けて、適宜、説明を省略している。
【００２３】
（実施の形態１）
図１は実施の形態１における手術室１０の正面図である。手術室１０には、患者を寝かせる手術用のベッド１１と、ベッド１１の上方にあってベッド１１上の患者の術部を照らす手術用のライト１２と、手術で利用する患者の生態情報を測定する測定器具１３と、手術用の薬剤を保管する薬剤管理装置１４がある。このような手術室１０にて、手術作業者（医師、看護師）が、手術道具（図示せず）、測定器具１３、薬剤管理装置１４を利用しながら手術を進める。
【００２４】
図２は薬剤管理装置１４の斜視図である。薬剤管理装置１４は、薬剤を保持する収納部２０、２１と、タッチパネルによる入力機能を有する表示部２２と、医師の名札に取り付けられたＩＣタグの個人識別情報を無線で読み取るＩＣタグリーダ２３と、ＩＣタグリーダ２３で個人識別される医師を撮像範囲に含むように手術室を撮影するカメラ２４と、小型パソコン等のデータ処理装置を保管する制御機器ケース部２５とを備える。
【００２５】
さらに、薬剤管理装置１４の上部に、手術を開始する時に押す手術開始ボタン２７と、手術を終了する時に押す手術終了ボタン２８とを備える。
【００２６】
また、薬剤管理装置１４に保持する薬剤を取り出し易くするために、図３に示すように、収納部２０、２１を個別に引き出すことが可能である。
【００２７】
なお、医師（手術作業者）の名札には、図４に示すように、個人識別するためのＩＣタグが取り付けられている。ＩＣタグは、名札１５の中に埋め込まれたＩＣ１６とアンテナ１７からなる。ＩＣ１６の中に、医師の個人識別情報が記録されている。このＩＣタグとしてＵＨＦ帯ＲＦＩＤタグを使用し、近接距離１ｍ以内において、ＩＣタグリーダ２３で検出が可能である。
【００２８】
なお、同じく手術作業者である看護師も、医師と同様に、個人識別するためのＩＣタグが名札に取り付けられている。
【００２９】
次に、図５の収納部２０の分解図を用いて、この収納部２０、２１の構造を詳細に説明する。
【００３０】
収納部２０は、ＲＦＩＤタグを有する薬剤を整然と並べるために一定の間隔で凹部が形成された薬剤受け３１と、薬剤受け３１の下部にある収納部アンテナ３２と、薬剤受け３１と収納部アンテナ３２を固定するアンテナ固定ガイド３３と、アンテナ固定ガイド３３の下方に蓋をする収納部底板３４と、この収納部底板３４の下面に取り付けられて収納部アンテナ３２の下方への電波を遮断する遮蔽板３５と、を備える。
【００３１】
なお、収納部アンテナ３２は、収納部２０に保持された薬剤のＲＦＩＤタグの情報を検出するＲＦＩＤタグの検出部、および、このＲＦＩＤタグに情報を記録するための書き込部に繋がっている。
【００３２】
また、収納部２０は、薬剤管理装置１４の一部である引出レール３６をスライドして移動する。
【００３３】
なお、図３の収納部２１は、収納部２０の下方に位置しているが、基本構成は収納部２０と同じである。
【００３４】
ちなみに、本実施の形態で用いる複数種類の薬剤の一つであるアンプル薬剤３０ａは、図６に示すように薬液をアンプル３８に入れたものであり、アンプル３８の下部にＲＦＩＤタグ３９を備える。このＲＦＩＤタグ３９は、１３．５６ＭＨｚのＨＦ帯ＲＦＩＤタグ３９が使用される。図７のＲＦＩＤタグ３９の下面図に示すように、ＲＦＩＤタグ３９は、ＩＣ３９ａと渦巻き状のコイル３９ｂとによって構成される。
【００３５】
また、図６に示すバイアル薬剤３０ｂは、薬液を薬剤ビンに入れて蓋をしたのであり、アンプル３８と同様に薬剤ビンの下部にＲＦＩＤタグ２９を備える。本実施の形態では、複数種類の薬剤を用いる場合について説明しているが、これら複数種類の薬剤は、薬剤ビンの形状などは異なるが、その構成は、前述のアンプル薬剤３０ａと同様にその下部にＲＦＩＤタグ３９を備える。
【００３６】
図８は、薬剤管理装置１４の機能ブロック図である。
【００３７】
薬剤管理装置１４は、表示部２２と、ＩＣタグリーダ２３と、カメラ２４、手術開始ボタン２７と、手術終了ボタン２８と、を備える。さらに、手術作業者の操作指令である手術開始ボタン２７から発信される手術開始信号、および、手術終了ボタン２８から発信される手術終了信号を取得する操作指令取得部２９を備える。
【００３８】
収納部アンテナ３２は、薬剤受け３１に置かれている薬剤のＲＦＩＤタグを検出する。
【００３９】
その他に、薬剤管理装置１４は、収納部２０、２１と、収納部２０に保持する薬剤のＲＦＩＤタグ３９より薬剤情報等を検出する検出部４１と、収納部２１に保持する薬剤のＲＦＩＤタグ３９より薬剤情報等を検出する検出部４２と、収納部２０に保持する薬剤のＲＦＩＤＲタグ３９に手術情報等を記録する書込み部４３と、収納部２１に保持する薬剤のＲＦＩＤタグに手術情報を記録する書込み部４４と、手術室の温度を測定する温度測定部４５とを備える。
【００４０】
さらに、薬剤管理装置１４は、手術情報を記録する手術情報記録部４７、検出部４１、４２により検出された薬剤情報に基づいて薬剤情報管理を行う薬剤管理部４０と、を備える。手術情報記録部４７、薬剤管理部４０は、小型パソコン等のデータ処理装置からなり、制御機器ケース部２５に存在する。ここで、手術情報とは、手術管理コード、手術計画、手術内容、手術開始日時（手術開始時間）、手術終了日時（手術終了時間）、手術場所等からなる情報である。
【００４１】
なお、薬剤管理部４０は、検出部４１、４２により検出された薬剤情報に基づいて薬剤情報管理を行う。薬剤情報とは、薬剤管理番号（ユニークな番号）、薬剤名、分量等からなる情報である。
【００４２】
ちなみに、薬剤管理部４０は、収納部２０、２１で検出される薬剤を所定の時間ごとに記録する収納薬剤記録部４９と、温度測定部４５で測定される手術室温度を記録する手術環境記録部４８とを備える。
【００４３】
次に、薬剤管理装置１４を用いて行う手術について説明する。ひとつの手術を大きく分けると、手術前作業、手術中作業、手術後作業がある。
【００４４】
手術前作業について、図９の手術前の管理部のフローチャートを用いて説明する。手術前作業として、手術作業者は薬剤管理装置１４に対して、不足薬剤の補充、手術計画の入力、手術開始の指示を行う。
【００４５】
まず、手術作業者は薬剤管理装置１４の不足薬剤の補充を行う。薬剤管理装置１４の収納部２０、２１は、手術に使う薬剤（注射液等が納まった薬剤ビン）を保持しているが、収納部２０で保持する薬剤は、共通して利用することの多い共通薬剤である。この共通薬剤は、事前の手術で数個使用されている場合がある。そのため、新たな手術のために共通薬剤の補充を行う必要がある。また、ここでは、収納部２１で保持する薬剤は、共通薬剤ではなく、今回の手術に利用する薬剤であり、この薬剤は、新しく補充される。
【００４６】
なお、収納部２０では、初期状態の薬剤の種類かつ薬剤の数量（例えば、薬剤Ａを３個、薬剤Ｂを４個、薬剤Ｃを２個）になるように、薬剤が補充される。また、収納部２１については、手術前の打ち合わせで準備が必要とされた薬剤種類かつ薬剤数（例えば、薬剤Ｅを１個、薬剤Ｆを２個）になるように、補充される。
【００４７】
薬剤の補充が終わると、薬剤管理装置１４へ手術計画を入力するが、手術計画の入力は医師が行う必要がある。そこで、医師が持つ個人ＩＣタグを、ＩＣタグリーダ２３が読み取り、入力者が医師であるか否かの認証を行う（ステップＳ１）。この時の認証は、薬剤管理部４０にある医師情報ＤＢ（図示せず）と検出されたＩＣタグ識別情報とを照合する。
【００４８】
なお、この時のＩＣタグ検出時に、カメラ２４で手術計画の入力者を撮影し、手術情報記録部４７に撮影映像を記録する。
【００４９】
入力者の認証が終わると、手術を担当する医師は、タッチパネルでもある表示部２２へ、手術の手術計画を入力する（ステップＳ２）。この時の手術計画は、手術情報記録部４７に記録される。
【００５０】
なお、手術計画の中には調剤情報も含まれており、手術計画の入力が終わると、手術計画から、最大限必要と考えられる薬剤の種類とその数量を算出する（ステップＳ３）。
【００５１】
その後、収納部２０、２１に保持される薬剤のＲＦＩＤタグより薬剤情報を検出し、収納部２０、２１に保持される薬剤の種類とその数量を検出する（ステップＳ４）。
【００５２】
ステップＳ２とステップＳ３の結果より、手術計画を進める上で最大限必要と考えられる薬剤の種類とその数量と、収納部２０、２１に保持される薬剤の種類とその数量と比較して収納部２０、２１に保持される薬剤を確認する（ステップＳ５）。収納部２０、２１に保持される薬剤が不足していれば、表示部２２に不足薬剤を表示する（ステップＳ６）。そして、薬剤が補充されると、再度、ステップＳ５で収納部２０、２１の薬剤を確認する。
【００５３】
なお、収納部２０、２１で保持する薬剤が問題なく取り揃えられると、手術を進めることのできる状態となる。すると、表示部２２に、手術開始ボタン２７を押すようにメッセージが表示される。そして、手術を開始する場合は、手術作業者が手術開始ボタン２７を押すと手術開始信号が発信され、この手術開始信号を操作指令取得部２９が検出する（ステップＳ７）。
【００５４】
なお、手術開始信号は、手術開始ボタン２７の代わりに、表示部２２に手術開始エリアを表示させ、その手術開始エリアを押すことで、手術開始信号が発信するようにしてもよい。
【００５５】
そして、操作指令取得部２９が手術開始指令である手術開始信号を受けると、操作指令取得部２９は手術情報記録部４７に記録された手術前の手術情報である手術開始情報を、収納部２０、２１で保持するすべての薬剤のＲＦＩＤタグ３９に記録する（ステップＳ８）。ＲＦＩＤタグ３９に記録される手術開始情報とは、手術管理コード、手術開始信号を操作指令取得部２９が検出した時の手術開始日時である。
【００５６】
なお、手術管理コードは、患者名、病名、手術名、担当医、カルテ等を対応づけるのに利用する管理番号である。
【００５７】
このように、各薬剤にＲＦＩＤタグ３９を取り付けることで、手術開始情報を複数の薬剤にまとめて書き込むことができる。すべての薬剤に手術開始情報を記録することで、薬剤ごとに正確な保管履歴を管理することが可能になる。また、書き込み部４３、４４で一括して複数のＲＦＩＤ３９に書き込むので、少ない労力で可能である。
【００５８】
その後、薬剤管理装置１４は、収納部２０、２１に保持するすべての薬剤のＲＦＩＤタグより薬剤情報を検出する（ステップＳ９）。ここで検出する薬剤情報とは、薬剤管理番号、薬剤名、分量である。
【００５９】
そして、検出された薬剤情報は、手術前の収納部保持情報として、収納薬剤記録部４９に手術管理コードごとに分けて記録される（ステップＳ１０）。このようにして、手術前作業が行われる。
【００６０】
次に、手術中作業に進む。手術中、手術作業者は、収納部２０、２１から薬剤を取り出して、この薬剤を注射器に取り込んだ上で、注射器を使って患者へ注射する。収納部２０、２１から取り出され使用された薬剤のアンプル、薬剤ビンは、薬剤廃棄庫へ捨てられる。
【００６１】
しかし、収納部２０、２１から取り出されたすべての薬剤が使用または破損して薬剤廃棄庫へ捨てられるわけではなく、一部の薬剤は収納部２０、２１に戻される場合もある。
【００６２】
例えば、収納部２０、２１から取り出して、薬剤を直ぐ使用できるように看護師が手に持って手術の進捗を見守っていた場合に、新たに薬剤を使用する必要がないと判断されると、薬剤は収納部２０、２１へ返却される。つまり、薬剤が準備利用される場合もある。
【００６３】
なお、薬剤管理装置１４は温度測定部４５を備え、手術中の薬剤管理装置１４の外部（手術室１０）の温度を５分ごとに測定し、手術環境記録部４８へ記録する。
【００６４】
このように、収納部２０、２１より薬剤を取り出し、使用や返却して、手術中作業が行われる。
【００６５】
次に手術後作業について、図１０の手術後の管理部のフローチャートを用いて説明する。
【００６６】
手術が終わる（手術後になる）と、医師は、表示部２２へ手術内容を記入する（ステップＳ１１）。手術内容の記入が終わると、表示部２２には、手術終了ボタン２８のボタンを押すようにメッセージが表示される。そして、手術を終了する場合は、手術作業者が手術終了ボタン２８を押すと手術終了指令である手術終了信号が発信され、この手術終了信号を操作指令取得部２９が検出する（ステップＳ１２）。
【００６７】
なお、手術終了信号は、手術終了ボタン２８の代わりに、表示部２２に手術終了エリアを表示させ、その手術開始エリアを押すことで、手術終了信号が発信するようにしてもよい。
【００６８】
そして、操作指令取得部２９が手術終了信号を受けると、操作指令取得部２９は手術情報記録部４７で記録された手術後の手術情報である手術終了情報を、収納部２０、２１で保持するすべての薬剤のＲＦＩＤタグに記録する（ステップＳ１３）。ＲＦＩＤタグに記録される手術後の手術情報である手術終了情報とは、手術管理コード、手術内容、手術終了信号を操作指令取得部２９が検出した時の手術終了日時である。
【００６９】
このように、ＲＦＩＤタグ３９を取り付けることで、複数の薬剤にまとめて手術終了情報を書き込むことができる。すべての薬剤ごとに手術終了情報を記録することで、薬剤ごとに正確な保管履歴を管理することが可能になる。また、書き込み部４３、４４で一括して複数のＲＦＩＤ３９に書き込むので、少ない労力で可能である。
【００７０】
その後、薬剤管理装置１４は、収納部２０、２１に保持するすべての薬剤のＲＦＩＤタグより薬剤情報を検出する（ステップＳ１４）。ここで検出する薬剤情報とは、薬剤管理番号、薬剤名、分量である。
【００７１】
ここで検出された薬剤情報は、手術後の収納部保持情報として、収納薬剤記録部４９に手術管理コードごとに分けて記録される（ステップＳ１５）。
【００７２】
この後、収納薬剤記録部４９に記録された手術前の収納部保持情報と手術後の収納部保持情報より、保持薬剤の差分を算出し、使用薬剤リストを作成する（ステップＳ１６）。
【００７３】
このように薬剤管理装置１４を手術の薬剤管理に用いることで、薬剤ごとの保管履歴を簡易に記録することができる。収納部２０に保持される薬剤は、手術の合間に収納部２０へ薬剤が補充されるので、薬剤によって保管履歴が異なる。薬剤管理装置１４を用いることとで、薬剤のＲＦＩＤタグへ保管履歴を記録するために、少ない労力で薬剤ごとの保管履歴の管理が可能になる。収納部２１に保持される薬剤も同様である。
【００７４】
そして、薬剤の保管履歴を検出する保管履歴出装置を用いることで、手術作業者は薬剤の保管履歴を知ることができる。薬剤ごとの保管履歴がわかることで、大まかな準備利用履歴の管理も可能となる。すると、薬剤ごとの準備履歴がわかるので、準備利用した薬剤の再利用も可能となり、薬剤の廃棄を減らすことができる。
【００７５】
なお、収納部２０、２１は、一定の間隔に薬剤毎の凹部が形成された薬剤受け３１でなくとも、複数の薬剤を一つの凹部に一緒に収めるような凹部であってもよい。また、複数の薬剤が乱雑に配置されていても、ＲＦＩＤタグで管理しているため、薬剤の保管履歴の管理は問題なく行われる。
【００７６】
（実施の形態２）
本実施の形態２の薬剤管理装置１４は、手術中に収納部２０、２１から一度取り出した後、収納部２０、２１に返却した（すなわち準備利用された）薬剤を薬剤管理部４０で算出し、この準備利用された薬剤のＲＦＩＤタグ３９に、準備利用されたことを記録することができる。
【００７７】
なお、実施の形態１とは、手術中に行われる管理部の動作が異なるが、その他については、ほぼ同じ動作がなされる。よって、実施の形態１と同様の構成については、同一符号を付与して説明を省略する。
【００７８】
手術前作業は、実施の形態１と同じように不足薬剤の補充の後に、手術計画の入力、収納部２０、２１の保持薬剤の確認、ＲＦＩＤタグ３９へ手術情報の記録、収納部２０、２１で保持される保持薬剤の検出、記録を行う。
【００７９】
そして、手術中作業については、図１１の薬剤管理部４０で行われる返却薬剤検出のフローチャートを用いて説明する。
【００８０】
図１１に示される返却薬剤検出フローチャートを、一定間隔（例えば、０．１秒おきに）に繰り返し行うことで返却薬剤を検出することができる。
【００８１】
まず、薬剤管理部４０が行う返却薬剤検出は、収納部２０、２１に保持されるすべての薬剤の検出が行われる（ステップＳ２１）。薬剤情報には薬剤管理番号が含まれており、ステップＳ２１で検出されたすべての薬剤管理番号を薬剤検出の度に収納薬剤記録部４９へ記録する（ステップＳ２２）。
【００８２】
ステップＳ２２の後、薬剤管理部４０は取出し薬剤を算出する。収納薬剤記録部４９は、薬剤検出の度に収納部２０、２１に存在するすべての薬剤の薬剤管理番号が記録される。そのため、薬剤検出の時まで存在していたが、このタイミングで不在になっていた薬剤があれば、取出し薬剤と特定する（ステップＳ２３）。
【００８３】
取出し薬剤が存在すれば、取出し薬剤の薬剤名を表示部２２に表示する（ステップＳ２４）。
【００８４】
ステップＳ２４の後、または、ステップＳ２３で取出し薬剤が存在しなかった場合、薬剤管理部４０は返却薬剤を算出する。収納薬剤記録部４９は、時間ごとに収納部２０、２１に存在するすべての薬剤の薬剤管理番号が記録されている。よって、収納部２０、２１に存在しているが、直前の時間まで不在で、再度、ステップＳ２１で検出された薬剤管理番号が存在すると、その薬剤を返却薬剤と特定する（ステップＳ２５）。
【００８５】
ステップＳ２３で、返却薬剤がなければ終了し、再度、返却薬剤検出フローチャートを繰り返す。
【００８６】
返却薬剤が存在すれば、収納薬剤記録部４９から薬剤の収納部２０、２１に不在であった時間を算出し、この不在時間を準備利用時間とする（ステップＳ２６）。
【００８７】
そして、ここで算出された準備利用時間と未利用時間とを比較する（ステップＳ２７）。未利用時間とは、薬剤を収納部２０、２１から取り出すが、取り出した薬剤が取出し間違だと気づいてすぐに返却したことを意味する時間である。ここでは、未利用時間として１０秒の時間を設定する。
【００８８】
未利用時間以下であれば準備利用されていないとして、取り間違え薬剤の薬剤名と、取り間違えたメッセージを表示部２２へ表示する（ステップＳ２８）。そして、繰り返し返却薬剤の検出が行われる。
【００８９】
一方、未利用時間より長いと、準備利用された薬剤と判断され、準備利用された薬剤のＲＦＩＤタグ３９に返却情報を記録する（ステップＳ２９）。この時の返却情報には、準備利用時間を含むが、準備利用時間の他に、手術室温度を含めてもよい。この手術温度は、準備利用されている時間の手術室の温度で、手術環境記録部４８から抽出する。
【００９０】
特に、低温での温度管理が必要とする薬剤を利用する場合、収納部２０、２１は低温になるように保冷材等で温度管理されているが、一度、収納部２０、２１から持ち出されると、手術室の温度にさらされて低温での管理がなされないので、薬剤が劣化する可能性があるために有用である。よって、返却情報には手術室温度に加えて、収納部２０、２１の温度を記録してもよい。
【００９１】
その後、返却薬剤の薬剤名と、返却薬剤であるとのメッセージを表示部２２へ表示する（ステップＳ３０）。そして、繰り返し返却薬剤の検出が行われる。
【００９２】
なお、返却薬剤の検出は手術作業中繰り返し行われるので、薬剤管理部４０は、収納部２０、２１へ返却される薬剤を特定する毎に、返却される薬剤のＲＦＩＤタグ３９へ返却情報を記録するように、書込み部４３、４４へ指示を出す。
【００９３】
上述したように、薬剤管理部４０は、所要時間毎に検出部４１、４２で検出される薬剤情報より、収納部２０、２１から取り出された後、返却された薬剤を特定して返却情報を生成し、書込み部４３、４４は返却される薬剤のＲＦＩＤタグ３９に薬剤管理部４０で生成された返却情報の記録を行う。
【００９４】
このように、返却薬剤収納フローを繰り返すことで、準備利用された薬剤を算出し、準備利用された薬剤に返却情報を記録することができる。
【００９５】
よって、薬剤のＲＦＩＤタグ３９から手術情報、返却情報を参照することで、簡易に薬剤の準備利用履歴を個別管理することができる。
【００９６】
実施の形態１では、薬剤の準備履歴の管理は大まかな管理しかできていなかったが、本実施の形態２では薬剤の準備履歴の管理を正確に行うことができる。
【００９７】
正確な薬剤の準備利用履歴の管理も可能となることで、準備利用した薬剤の再利用も可能となり、薬剤の廃棄をさらに減らすことができる。
【００９８】
なお、操作指令取得部２９が手術終了指令を受けると、薬剤管理部４０は、収納部２０、２１から取り出されることのなかったすべての薬剤のＲＦＩＤタグ３９へ未利用情報を記録するように書込み部４３、４４へ指示を出して、薬剤のＲＦＩＤタグ３９へ未利用情報を記録するようにしてもよい。このようにすることで、より明確に準備利用されていない未利用の薬剤を識別することができる。
【００９９】
また、薬剤管理部４０は、所要時間毎に検出部４１、４２で検出される薬剤情報より、収納部２０、２１から取り出された薬剤を特定し、この薬剤が収納部２０、２１から取り出されたこと、例えば「薬剤が取り出されました」というメッセージを、表示部２２へ薬剤名と共に表示するよう表示部２２へ指示を出してもよい。
【０１００】
さらに、検出部４１、４２で検出される薬剤情報より、収納部２０、２１から取り出された後、返却される薬剤を特定し、この薬剤が返却されたこと、例えば「薬剤が返却されました」というメッセージを表示部２２へ薬剤名と共に表示するように表示部２２へ指示を出してもよい。このようにすることで、収納部２０、２１からどの薬剤が取り出されたのか、収納部２０、２１へどの薬剤が返却されたかを、手術作業者は間違いなく確認することができる。
【０１０１】
また、薬剤管理部４０は、薬剤が収納部２０、２１から取り出された後、返却されるまでの準備利用時間が未利用時間以下の薬剤は、表示部２２へ返却された薬剤の薬剤名と共に未利用の薬剤として取り扱われることのメッセージ、例えば「未利用薬剤として処理します」「取り間違いとして処理します」を、表示部２２へ表示するように指示を出してもよい。
【０１０２】
（実施の形態３）
本実施の形態３は、収納部２０、２１から薬剤が取り出された時、返却された時に準備利用された時の手術室の画像等を記録することで、セキュリティーを高めた薬剤管理装置１４である。
【０１０３】
薬剤管理部４０は、手術室の画像を取得する画像取得部となるカメラ２４を備える。薬剤管理部４０は、検出部４１、４２により、収納部２０、２１から薬剤が取り出された時、および、収納部２０、２１へ薬剤が返却された時の少なくとも一方で、カメラ２４で手術室の画像を取得する。そして、カメラ２４で取得した手術室の画像に基づいて、収納薬剤記録部４９に、取り出された薬剤または返却された薬剤の薬剤管理番号、時刻、画像、薬剤の移動方向（取り出し、返却のどちらであるか）が記録される。このように画像を記録することで、誰が取り出したのか、返却したのかを明確にすることができる。なお、収納薬剤記録部４９に記録する画像を、ＲＦＩＤタグ３９へ記録してもよい。
【０１０４】
また、カメラ２４を用いなくとも、無線ＩＣタグの個人識別情報を取得する無線ＩＣタグリーダ２３を備え、画像の変わりに個人識別情報を収納薬剤記録部４９に記録してもよい。
【０１０５】
この時、薬剤管理部４０は、検出部４１、４２により、収納部２０、２１から薬剤が取り出された時、および、収納部２０、２１へ薬剤が返却された時の少なくとも一方で、無線ＩＣタグリーダ２３より取得される個人識別番号に加え、取り出された薬剤または返却された薬剤の薬剤管理番号、時刻、薬剤の移動方向（取り出し、返却のどちらであるか）を収納薬剤記録部４９へ記録するようにしてもよい。
【０１０６】
なお、カメラの取り付け位置は、薬剤管理装置ではなく、手術室、例えば天井に取り付けて手術室の全体が写るようにてもよい。この場合のカメラで撮影した画像は、無線通信等により、薬剤管理装置へ送られる。
【０１０７】
このような構成とすることで、薬剤が取り出された状況、返却したされた状況が画像となって記録される。よって、後々問題が発生した場合、記録した画像を見ることでその時の状況を再確認することができ、セキュリティーを高めることができる。なお、収納薬剤記録部４９に記録する情報を、ＲＦＩＤタグ３９へ記録してもよい。
【産業上の利用可能性】
【０１０８】
本件発明にかかる薬剤管理方法および薬剤管理装置は、薬剤ごとの保管履歴、準備利用履歴の管理を簡易に行うことができるので、手術室の薬剤管理カートとして有用である。
【符号の説明】
【０１０９】
１０  手術室
１１  ベッド
１２  ライト
１３  測定器具
１４  薬剤管理装置
１５  名札
１６  ＩＣ
１７  アンテナ
２０、２１  収納部
２２  表示部
２３  ＩＣタグリーダ
２４  カメラ
２５  制御機器ケース部
２７  手術開始ボタン
２８  手術終了ボタン
２９  操作指令取得部
３０ａ  アンプル薬剤
３０ｂ  バイアル薬剤
３１  薬剤受け
３２  収納部アンテナ
３３  アンテナ固定ガイド
３４  収納部底板
３５  遮蔽板
３６  引出レール
３８  アンプル
３９  ＲＦＩＤタグ
３９ａ  ＩＣ
３９ｂ  コイル
４０  薬剤管理部
４１、４２  検出部
４３、４４  書込み部
４５  温度測定部
４７  手術情報記録部
４８  手術環境記録部
４９  収納薬剤記録部
【図１】
2011062331.tif 000003
【図２】
2011062331.tif 000004
【図３】
2011062331.tif 000005
【図４】
2011062331.tif 000006
【図５】
2011062331.tif 000007
【図６】
2011062331.tif 000008
【図７】
2011062331.tif 000009
【図８】
2011062331.tif 000010
【図９】
2011062331.tif 000011
【図１０】
2011062331.tif 000012
【図１１】
2011062331.tif 000013
【図１２】
2011062331.tif 000014